(57)【特許請求の範囲】
【請求項１】
マイクのグリップ部に着脱可能に取り付けられるマイクカバーであって、
平面視して前側に凸の円弧状に湾曲し、前記マイクの使用時に該マイクの集音部を挟んで該マイクの使用者の少なくとも口の前方を遮蔽するカバー部材と、該カバー部材を前記グリップ部に固定する固定手段とを有し、該固定手段は、前記グリップ部に装着されるグリップ装着部と、前記カバー部材を保持するカバー保持部とを有することを特徴とするマイクカバー。
【請求項２】
請求項１記載のマイクカバーにおいて、前記カバー保持部は、前記カバー部材の下端側に、該カバー部材の幅方向に沿って配置され、前記カバー部材を表裏から挟持することを特徴とするマイクカバー。
【請求項３】
請求項１又は２記載のマイクカバーにおいて、前記固定手段は、前記グリップ装着部と前記カバー保持部とを連結する連結部を有することを特徴とするマイクカバー。
【請求項４】
請求項１〜３のいずれか１記載のマイクカバーにおいて、前記カバー部材の上縁部に、前記使用者の顔に密着可能な当接部が形成されていることを特徴とするマイクカバー。
【請求項５】
マイクのグリップ部に着脱可能に取り付けられるマイクカバーであって、
半球状に形成され、前記マイクの使用時に該マイクの集音部と離間して該集音部の周囲を覆い、該集音部を挟んで該マイクの使用者の少なくとも口の前方を遮蔽するカバー部材と、該カバー部材を前記グリップ部に固定する固定手段とを備え、該固定手段は、前記カバー部材と一体に形成され、前記グリップ部が挿通されるグリップ装着孔を有し、該グリップ装着孔は、正面視して円形の前記カバー部材の中心からずれた位置に形成されていることを特徴とするマイクカバー。
【請求項６】
請求項５記載のマイクカバーにおいて、前記固定手段は、前記グリップ装着孔の内周若しくは周縁で前記グリップ部の外周面に当接する弾性変形部を有することを特徴とするマイクカバー。
【請求項７】
請求項１〜６のいずれか１記載のマイクカバーを備えたことを特徴とするカバー付きマイク。
【発明の詳細な説明】
【技術分野】
【０００１】
本発明は、マイク（マイクロフォン）を使用する際に、使用者の口から出る唾液等の飛沫が周囲に飛散することを防止するマイクカバー及びカバー付きマイクに関する。
【背景技術】
【０００２】
従来、マイクは、カラオケや演説等の各種の用途に用いられている。一般的なマイクでは、マイクのボディであるグリップ部の先端に設けられた集音部が、金属メッシュ製のカバーで覆われている。しかし、マイクの使用時に、使用者がマイクに口を近付けることにより、唾液等の飛沫が集音部に付着して雑菌等が繁殖し易く、非衛生的で病気を伝染させる原因の一つになっていた。そこで、例えば、特許文献１、２のように、マイクの集音部を被覆する各種のマイクカバー（マイクロフォンカバー）が提案されている。
【先行技術文献】
【特許文献】
【０００３】
【特許文献１】特許第４８９０６４９号公報
【特許文献２】特開２００５−１２６０４号公報
【発明の概要】
【発明が解決しようとする課題】
【０００４】
しかしながら、これらの従来のマイクカバーは、集音部を衛生的に保護することを目的としたものであり、マイク以外の周囲への飛沫の飛散を防止することはできない。従って、使用者の口から出た唾液等の飛沫にウィルスや細菌等が含まれている場合、周囲に飛散した飛沫が直接的又は間接的に他人の体内に侵入し、使用者の病気が他人に感染してしまうおそれがある。そこで、使用者が不織布製や布製のマスクを装着した状態でマイクを使用することが考えられるが、使用者の発する音声がマスクで遮られ、マイクに到達し難くなるだけでなく、使用者が息苦しさを感じ易く、継続（連続）的に使用することが困難であるという問題がある。これに対し、医療現場等で使用されるフェイスガードは、顔から離れた位置を遮蔽するため、使用者が息苦しさや暑苦しさ等を感じ難いが、装着に手間がかかり、口とフェイスガードとの間隔が狭く、口にマイクを近付け難くなるという問題がある。また、顔全体がフェイスガードで覆われるため、使用者に圧迫感を与え易くなると共に、視界がフェイスガードで遮られ、モニター画面等が見難くなるという問題もある。
本発明は、かかる事情に鑑みてなされたもので、マイクを使用する際に、使用者の口から出る唾液等の飛沫が周囲に飛散することを確実かつ効果的に防止することができるマイクカバー及びカバー付きマイクを提供することを目的とする。本発明は、かかる事情に鑑みてなされたもので、小型でありながら磁性流体の粘度の制御に必要な高い磁束の生成、消滅が可能であり、外部に漏れ磁束を発生させることもなく、壊れ易い対象物や小さな対象物でも確実に把持することができる汎用性、実用性に優れた把持機構及び把持装置を提供することを目的とする。
【課題を解決するための手段】
【０００５】
前記目的に沿う第１の発明に係るマイクカバーは、マイクのグリップ部に着脱可能に取り付けられるマイクカバーであって、
平面視して前側に凸の円弧状に湾曲し、前記マイクの使用時に該マイクの集音部を挟んで該マイクの使用者の少なくとも口の前方を遮蔽するカバー部材と、該カバー部材を前記グリップ部に固定する固定手段とを有し、該固定手段は、前記グリップ部に装着されるグリップ装着部と、前記カバー部材を保持するカバー保持部とを有する。前記目的に沿う第１の発明に係る把持機構は、柔軟性を有する袋体に封入された磁性流体の粘性を制御して対象物を把持する把持機構において、
前記袋体の一側に配置された永久磁石と、該永久磁石を回転させることによって前記磁性流体に作用する磁束の量を増減させる回転駆動部とを有する。
【０００６】
第１の発明に係るマイクカバーにおいて、前記カバー保持部は、前記カバー部材の下端側に、該カバー部材の幅方向に沿って配置され、前記カバー部材を表裏から挟持することができる。
【０００７】
第１の発明に係るマイクカバーにおいて、前記固定手段は、前記グリップ装着部と前記カバー保持部とを連結する連結部を有してもよい。
【０００８】
【０００９】
第１の発明に係るマイクカバーにおいて、前記カバー部材の上縁部に、前記使用者の顔に密着可能な当接部が形成されてもよい。
【００１０】
【００１１】
前記目的に沿う第２の発明に係るマイクカバーは、マイクのグリップ部に着脱可能に取り付けられるマイクカバーであって、
半球状に形成され、前記マイクの使用時に該マイクの集音部と離間して該集音部の周囲を覆い、該集音部を挟んで該マイクの使用者の少なくとも口の前方を遮蔽するカバー部材と、該カバー部材を前記グリップ部に固定する固定手段とを備え、該固定手段は、前記カバー部材と一体に形成され、前記グリップ部が挿通されるグリップ装着孔を有し、該グリップ装着孔は、正面視して円形の前記カバー部材の中心からずれた位置に形成されていることが好ましい。
【００１２】
第２の発明に係るマイクカバーにおいて、前記固定手段は、前記グリップ装着孔の内周若しくは周縁で前記グリップ部の外周面に当接する弾性変形部を有することができる。
【００１３】
前記目的に沿う第３の発明に係るカバー付きマイクは、第１又は第２の発明に係るマイクカバーを備えている。
【発明の効果】
【００１４】
第１、第２の発明に係るマイクカバー及び第３の発明に係るカバー付きマイクは、マイクの使用時に、カバー部材により、マイクの集音部を挟んでマイクの使用者の少なくとも口の前方を遮蔽し、使用者の口から出る唾液等の飛沫が周囲に飛散することを防止して、飛沫に含まれるウィルスや細菌等による感染を効果的に防ぐことができる。
【図面の簡単な説明】
【００１５】
【図１】本発明の第１の実施の形態に係るマイクカバーの側面図である。本発明の一実施の形態に係る把持機構の部分断面正面図
【図２】同マイクカバーの平面図である。本発明の一実施の形態に係る把持機構の部分断面正面図
【図３】同マイクカバーの背面図である。本発明の一実施の形態に係る把持機構の部分断面正面図
【図４】同マイクカバーを備えたカバー付きマイクの使用状態を示す側面図である。本発明の一実施の形態に係る把持機構の部分断面正面図
【図５】本発明の第２の実施の形態に係るマイクカバーの側面図である。本発明の一実施の形態に係る把持機構の部分断面正面図
【図６】同マイクカバーの正面図である。本発明の一実施の形態に係る把持機構の部分断面正面図
【図７】同マイクカバーを備えたカバー付きマイクの使用状態を示す側面図である。本発明の一実施の形態に係る把持機構の部分断面正面図
【発明を実施するための形態】
【００１６】
続いて、添付した図面を参照しつつ、本発明を具体化した実施の形態につき説明し、本発明の理解に供する。
図１〜図３に示す本発明の第１の実施の形態に係るマイクカバー１０は、図４に示すように、マイク１１のグリップ部１２に着脱可能に取り付けられて、マイク１１を使用する際に、使用者１３の口１４から出る唾液等の飛沫が周囲に飛散することを防止して、飛沫に含まれるウィルスや細菌等による病気の感染（飛沫感染）を防ぐものである。
【００１７】
マイクカバー１０は、図４に示すように、マイク１１の使用時にマイク１１の集音部１１ａを挟んで（マイク１１の前側で）、マイク１１の使用者１３の少なくとも口１４の前方を遮蔽するカバー部材１５と、カバー部材１５をグリップ部１２に固定する固定手段１６とを有している。ここで、カバー部材１５は、図２に示すように、平面視して前側に凸の円弧状に湾曲しているものが好適に用いられるが、マイク１１の使用時に使用者１３の少なくとも口１４の前方を遮蔽することができればよく、その形状、大きさ及び厚さは、適宜、選択することができる。また、カバー部材１５の材質としては、メタクリル樹脂が好適に用いられるが、ＡＢＳ樹脂、ポリプロピレン（ＰＰ）又はポリカーボネート（ＰＣ）等のその他の合成樹脂を適宜、選択することができる。なお、カバー部材１５は無色透明であることが好ましいが、有色透明又は不透明でもよい。
【００１８】
固定手段１６は、図１〜図４に示すように、グリップ部１２に装着されるグリップ装着部１７と、カバー部材１５を保持するカバー保持部１８とを有している。本実施の形態では、図２に示すように、グリップ装着部１７をグリップ部１２の外径に合わせて円環状に形成したが、グリップ装着部は、グリップ部１２に装着されて固定されるものであればよく、その形状、構造及び材質は、適宜、選択することができる。例えば、グリップ装着部として、円弧状（優弧状）に湾曲した形状に形成されてグリップ部１２に装着（嵌着）されるもの、開閉式のクリップ状に形成されてグリップ部１２を挟持するもの、面ファスナー等で帯状に形成されてグリップ部１２に巻着されるもの等を用いることができる。また、本実施の形態では、図１〜図４に示すように、カバー部材１５の下端側に、カバー部材１５の幅方向に沿って配置され、カバー部材１５を表裏から挟持するカバー保持部１８によりカバー部材１５を保持したが、カバー保持部はカバー部材１５を保持できるものであればよく、その形状、配置及び構造は、適宜、選択することができる。例えば、カバー保持部は、カバー部材の幅方向の全長にわたって配置される必要はなく、カバー部材の幅方向の一部を保持するものでもよい。また、カバー保持部は、螺旋止め又は接合（溶着）等により、カバー部材を保持する（カバー部材に固定される）ものでもよいし、開閉式のクリップ状に形成されて、ばね力によりカバー部材を保持（挟持）するものでもよい。
【００１９】
さらに、固定手段１６は、グリップ装着部１７とカバー保持部１８とを放射状に連結する３箇所の連結部１９を有している。なお、連結部は、グリップ装着部１７とカバー保持部１８とを連結できるものであればよく、連結部の形状、数、大きさ及び配置は、適宜、選択することができる。また、グリップ装着部及びカバー保持部と連結部は一体に形成することもできるが、グリップ装着部及びカバー保持部の材質及び構造によっては、固定手段の各部を別部材で形成して連結してもよい。
【００２０】
以上のように構成されたマイクカバー１０をマイク１１のグリップ部１２に取り付けることにより、図４に示したカバー付きマイク２０が得られる。このカバー付きマイク２０によれば、マイク１１の使用時に、カバー部材１５により、マイク１１の集音部１１ａを挟んで（マイク１１の前側で）、マイク１１の使用者１３の少なくとも口１４の前方を遮蔽し、使用者１３の口１４から出る唾液等の飛沫が周囲に飛散することを防止して、飛沫に含まれるウィルスや細菌等による病気の感染を防ぐことができ、衛生的である。そして、マイクカバー１０がマイク１１のグリップ部１２に取り付けられたカバー付きマイク２０を用いることにより、使用者１３は、別途、マスクやフェイスガード等を装着する必要がなくなり、息苦しさや不快感等を解消して、手軽にカラオケ等を楽しむことができる。また、カバー部材１５が、平面視して前側に凸の円弧状に湾曲していることにより、使用者１３の口１４の前方及び側方を遮蔽して、飛沫の飛散を確実かつ効果的に防止できる。
【００２１】
なお、カバー付きマイク２０の使用時に、カバー部材１５の上縁２１は、図４に示すように、使用者１３の顔２２から離れていてもよいが、カバー部材１５の上縁２１を使用者１３の顔２２（口１４の周縁）に押し当てるようにすれば、カバー部材１５と顔２２との隙間から飛沫が飛散することがなく、飛沫感染の防止効果を高めることができる。このとき、カバー部材１５の上縁２１に沿うように、柔軟性（弾力性）を有するゴム又はスポンジ等で形成された緩衝部材（図示せず）を取り付けることにより、使用者１３が痛みを感じ難く、隙間を効果的に塞ぐことができる。
【００２２】
また、図１、図３に二点鎖線で示したように、カバー部材１５の上縁部に、使用者１３の顔２２に密着可能な当接部２３を形成すれば、カバー部材１５と顔２２との密着性を高め、飛沫の飛散防止効果をさらに向上させることができる。このとき、当接部２３は、カバー部材１５の上縁部を円弧状に切り欠くことにより形成することができるが、当接部は顔２２の表面に密着できればよく、その形状及び大きさは、適宜、選択することができる。なお、当接部には、前述と同様の緩衝部材を取り付けることができる。
【００２３】
次に、図５、図６に示す本発明の第２の実施の形態に係るマイクカバー２５及び図７に示すマイクカバー２５を備えたカバー付きマイク２６について説明する。なお、第１の実施の形態と同様の構成については同一の符号を付して説明を省略する。
マイクカバー２５がマイクカバー１０と異なる点は、図５〜図７に示すように、カバー部材２７が略半球状（椀状）に形成され、集音部１１ａと離間して集音部１１ａの周囲を覆っている点と、固定手段２８が、カバー部材２７と一体に形成され、グリップ部１２が挿通されるグリップ装着孔２９を有する点である。これにより、カバー部材２７で集音部１１ａの周囲を全体的に覆うことができ、カバー付きマイク２６の使用時にグリップ部１２の角度が変化しても、飛沫の飛散を確実に防止することができる。
【００２４】
なお、図５、図６に示すように、固定手段２８が、グリップ装着孔２９の内周でグリップ部１２の外周面に当接する弾性変形部３０を有することにより、固定手段２８（グリップ装着孔２９）とグリップ部１２を確実に固定することができ、マイクカバー２５（カバー部材２７）の位置ずれやマイクカバー２５がマイク１１（グリップ部１２）から脱落（落下）することを効果的に防止できる。また、グリップ部１２の寸法（太さ）の違いを弾性変形部３０の変形で吸収することができ、固定安定性及び汎用性を向上させることができる。弾性変形部の材質としては、発泡ウレタン（ウレタンフォーム）又はスポンジが好適に用いられるが、軟質性のゴムを用いてもよい。
【００２５】
本実施の形態では、図５、図６に示すように、環状の弾性変形部３０をグリップ装着孔２９の内周に沿うように取付け、グリップ部１２をグリップ装着孔２９に挿通した際に、弾性変形部３０がグリップ装着孔２９の内周でグリップ部１２の外周面に当接するようにしたが、弾性変形部の形状及び取付け位置は、これに限定されるものではなく、適宜、選択することができる。例えば、カバー部材にグリップ部の外径よりも大きなグリップ装着孔を形成し、グリップ部の外径と同等若しくは外径より小さな貫通孔を形成した板状の弾性変形部をカバー部材の表面側又は裏面側に貼り付け、グリップ部１２をグリップ装着孔及び貫通孔に挿通した際に、弾性変形部がグリップ装着孔の周縁でグリップ部１２の外周面に当接するようにしてもよい。
【００２６】
なお、カバー部材の厚さは、適宜、選択することができるが、グリップ装着孔を形成する部分を他の部分より肉厚に形成して、グリップ部１２の固定安定性を向上させた場合、弾性変形部を省略してもよい。また、弾性変形部を設けたり、カバー部材を肉厚に形成したりする代わりに、グリップ部１２の外径より小さなグリップ装着孔の外周に、放射状に切れ目を入れて複数の係合片を形成し、グリップ部１２をグリップ装着孔に挿通した際に、係合片を変形させてグリップ部１２の外周面に当接させ、係合片の弾性を利用してグリップ部１２を保持することもできる。
【００２７】
以上、本発明の実施の形態を説明したが、本発明は何ら上記した実施の形態に記載の構成に限定されるものではなく、特許請求の範囲に記載されている事項の範囲内で考えられるその他の実施の形態や変形例も含むものである。
例えば、第１の実施の形態において、カバー部材と固定手段は、合成樹脂により一体成型することもでき、その場合、固定手段のカバー保持部は省略できる。また、カバー部材の周縁部には必要に応じて補強部を設けることができる。補強部は、カバー部材の周縁部を肉厚にしてカバー部材と一体に形成してもよいし、別部材で形成した補強材をカバー部材の周縁部に取り付けて（固定して）形成してもよい。
また、第２の実施の形態では、カバー部材全体を半球状に形成したが、グリップ装着孔の周囲を平坦状に形成してもよいし、カバー部材を半球状以外の形状に形成してもよい。
【符号の説明】
【００２８】
１０：マイクカバー、１１：マイク、１２：グリップ部、１３：使用者、１４：口、１５：カバー部材、１６：固定手段、１７：グリップ装着部、１８：カバー保持部、１９：連結部、２０：カバー付きマイク、２１：上縁、２２：顔、２３：当接部、２５：マイクカバー、２６：カバー付きマイク、２７：カバー部材、２８：固定手段、２９：グリップ装着孔、３０：弾性変形部
【要約】
【課題】マイクを使用する際に、使用者の口から出る唾液等の飛沫が周囲に飛散することを確実かつ効果的に防止することができるマイクカバー及びカバー付きマイクを提供する。
【解決手段】マイク１１の使用時にマイク１１の集音部１１ａを挟んでマイク１１の使用者１３の少なくとも口１４の前方を遮蔽するカバー部材１５と、カバー部材１５をグリップ部１２に固定する固定手段１６とを有するマイクカバー１０及びマイクカバー１０を備えたカバー付きマイク２０。
【選択図】図４【図１】
0006865516.tif 000002
【図２】
0006865516.tif 000003
【図３】
0006865516.tif 000004
【図４】
0006865516.tif 000005
【図５】
0006865516.tif 000006
【図６】
0006865516.tif 000007
【図７】
0006865516.tif 000008